(57)【要約】【課題】ユーザーの頭部に装着して用いられる頭部装着型表示装置を含む２以上の表示装置のうちいずれか適切な１台に映像を出力する。【解決手段】ヘッド・マウント・ディスプレイ１０側では、装着センサー２２１を用いて、装着の有無を検知する。フロント・エンド・ボックス４０側の制御部５０６は、無装着状態で、ブルーレイ・ディスク再生装置２０からの再生信号の出力先をハイビジョン・ディスプレイ３０とするよう、出力切換部５０４に指示し、装着状態に変化したときには、ブルーレイ・ディスク再生装置２０からの再生信号の出力先をヘッド・マウント・ディスプレイ１０に切り替えるよう指示する。【選択図】  図１
2013093664.tif 000002
【特許請求の範囲】
【請求項１】
ユーザーが装着して用いられる第１の表示装置と、
１以上の第２の表示装置と、
前記第１の表示装置及び前記第２の表示装置を接続し、ユーザーによる前記第１の表示装置の装着の有無に応じて、映像情報の出力先を前記第１の表示装置又は前記第２の表示装置のいずれかに切り替える出力切換装置と、
を具備する表示システム。
【請求項２】
前記第１の表示装置は、ユーザーによる前記第１の表示装置の装着の有無を検出する装着センサーを備え、
前記出力切換装置は、前記装着センサーの検出結果に基づいて、ユーザーによる前記第１の表示装置の装着の有無を判別する、
請求項１に記載の表示システム。
【請求項３】
前記出力切換装置は、ユーザーが前記第１の表示装置を装着した装着状態では、映像情報を前記第１の表示装置に出力し、ユーザーが前記第１の表示装置を装着していない無装着状態では、映像情報を前記第２の表示装置に出力する、
請求項１に記載の表示システム。
【請求項４】
前記出力切換装置は、ユーザーが前記第１の表示装置を装着した装着状態では、前記第１の表示装置の取扱説明に関する映像情報を前記第１の表示装置に出力し、ユーザーが前記第１の表示装置を装着していない無装着状態では、前記第１の表示装置の取扱説明に関する映像情報を前記第２の表示装置に出力する、
請求項１に記載の表示システム。
【請求項５】
映像情報を供給する映像情報供給装置をさらに備え、
前記出力切換装置は、ユーザーが前記第１の表示装置を装着した装着状態では、前記映像情報供給装置から供給される映像情報を前記第１の表示装置に出力し、ユーザーが前記第１の表示装置を装着していない無装着状態では、前記映像情報供給装置から供給される映像情報を前記第２の表示装置に出力する、
請求項１に記載の表示システム。
【請求項６】
第１の表示装置を接続する第１のインターフェースと、
第２の表示装置を接続する第２のインターフェースと、
ユーザーによる前記第１の表示装置の装着の有無に応じて、映像情報の出力先を前記第１の表示装置又は前記第２の表示装置のいずれかに切り替える出力切換部と、
を具備する中継装置。
【請求項７】
前記第１の表示装置は、ユーザーによる前記第１の表示装置の装着の有無を検出する装着センサーを備え、
前記装着センサーの検出結果に基づいて、ユーザーによる前記第１の表示装置の装着の有無を判別する、
請求項６に記載の中継装置。
【請求項８】
前記出力切換部は、ユーザーが前記第１の表示装置を装着した装着状態では、映像情報を前記第１の表示装置に出力し、ユーザーが前記第１の表示装置を装着していない無装着状態では、映像情報を前記第２の表示装置に出力する、
請求項６に記載の中継装置。
【請求項９】
前記出力切換部は、ユーザーが前記第１の表示装置を装着した装着状態では、前記第１の表示装置の取扱説明に関する映像情報を前記第１の表示装置に出力し、ユーザーが前記第１の表示装置を装着していない無装着状態では、前記第１の表示装置の取扱説明に関する映像情報を前記第２の表示装置に出力する、
請求項６に記載の中継装置。
【請求項１０】
映像情報を再生出力する再生装置を接続し、前記再生装置から再生信号を入力する入力部をさらに備え、
前記出力切換部は、ユーザーが前記第１の表示装置を装着した装着状態では、前記再生装置から再生出力される映像情報を前記第１の表示装置に出力し、ユーザーが前記第１の表示装置を装着していない無装着状態では、前記再生装置から再生出力される映像情報を前記第２の表示装置に出力する、
請求項６に記載の中継装置。
【発明の詳細な説明】
【技術分野】
【０００１】
本明細書で開示する技術は、再生装置から出力される再生信号を２以上の表示装置に出力する表示システム、並びに、ユーザーの頭部に装着して用いられる頭部装着型表示装置を含む２以上の表示装置と再生装置との間を中継する中継装置に関する。
【背景技術】
【０００２】
頭部に装着して映像を視聴する表示装置、すなわちヘッド・マウント・ディスプレイ（ＨＭＤ）が広く知られている。ヘッド・マウント・ディスプレイは、左右の眼毎に光学ユニットを持ち、また、ヘッドフォンと併用し、視覚及び聴覚を制御できるように構成されている。頭部に装着した際に外界を完全に遮るように構成すれば、ブルーレイ・ディスク（ＢＤ）などの再生映像を視聴するときの仮想現実感が増す。また、ヘッド・マウント・ディスプレイは、左右の眼に違う映像を映し出すことも可能であり、左右の眼に視差のある画像を表示すれば３Ｄ画像を提示することができる。
【０００３】
ヘッド・マウント・ディスプレイの左右の眼の表示部には、例えば液晶や有機ＥＬ（Ｅｌｅｃｔｒｏ− Ｌｕｍｉｎｅｓｃｅｎｃｅ）素子などからなる高解像度の表示パネルを用いることができる。また、光学系で適当な画角を設定するとともに、ヘッドフォンで多チャンネルを再現すれば、映画館で視聴するような臨場感を再現することができるであろう。
【０００４】
多くのヘッド・マウント・ディスプレイは、遮光性を伴うとともに、ユーザーの眼を直接覆うように構成されている。したがって、ヘッド・マウント・ディスプレイを装着した暗い場所にいるのと同じ環境になり、表示される映像に没入することができる。
【０００５】
また、ヘッド・マウント・ディスプレイは、ＤＶＤプレイヤーやブルーレイ・ディスク（ＢＤ）プレイヤーなどのＡＶ再生装置に接続して、映画などのコンテンツを鑑賞するのに利用される（例えば、特許文献１を参照のこと）。
【０００６】
他方、ＡＶ再生装置で再生した映像を表示する装置としては、ＴＶ受像機が一般的である。例えば、ＡＶ再生装置とヘッド・マウント・ディスプレイ並びにＴＶ受像機の間を中継する中継装置を配設し、再生信号の出力先を中継装置でヘッド・マウント・ディスプレイ又はＴＶ受像機のいずれか一方に切り替えるように表示システムを構成すれば、１台のＡＶ再生装置を２つの表示装置で共用することができる。
【０００７】
ところが、ヘッド・マウント・ディスプレイは、遮光性を伴うとともに、ユーザーの眼を直接覆う「没入型」であることから、ユーザーが一旦ヘッド・マウント・ディスプレイを装着した後に、出力先がＴＶ受像機に切り替えられてしまうと、ユーザーはＴＶ受像機の表示映像を全く確認することができない。逆に、ＴＶ受像機で再生映像を視聴しているときに、出力先がヘッド・マウント・ディスプレイに切り替えられてしまうと、ユーザーはヘッド・マウント・ディスプレイを装着するまでは映像がそこに表示されているとは気付かない。また、ＴＶ受像機で映像を再生しているときに、ユーザーは、ヘッド・マウント・ディスプレイを頭部に装着すると、ＴＶ受像機の映像を見ることができなくなってしまう。
【先行技術文献】
【特許文献】
【０００８】
【特許文献１】特開２００５−８６３２８号公報
【発明の概要】
【発明が解決しようとする課題】
【０００９】
本明細書で開示する技術の目的は、映像を２以上の表示装置に選択的に出力する優れた表示システム、並びに、２以上の表示装置と再生装置との間を中継する優れた中継装置を提供することにある。
【００１０】
本明細書で開示する技術のさらなる目的は、再生装置からの再生信号を、ユーザーの頭部に装着して用いられる頭部装着型表示装置を含む２以上の表示装置のうちいずれか適切な１台に出力して、好適に映像を表示出力することができる、優れた表示システム並びに中継装置を提供することにある。
【課題を解決するための手段】
【００１１】
本願は、上記課題を参酌してなされたものであり、請求項１に記載の技術は、
ユーザーが装着して用いられる第１の表示装置と、
１以上の第２の表示装置と、
前記第１の表示装置及び前記第２の表示装置を接続し、ユーザーによる前記第１の表示装置の装着の有無に応じて、映像情報の出力先を前記第１の表示装置又は前記第２の表示装置のいずれかに切り替える出力切換装置と、
を具備する表示システムである。
【００１２】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００１３】
本願の請求項２に記載の技術によれば、請求項１に記載の表示システムにおいて、前記第１の表示装置は、ユーザーによる前記第１の表示装置の装着の有無を検出する装着センサーを備えている。そして、前記出力切換装置は、前記装着センサーの検出結果に基づいて、ユーザーによる前記第１の表示装置の装着の有無を判別するように構成されている。
【００１４】
本願の請求項３に記載の技術によれば、請求項１に記載の表示システムの出力切換装置は、ユーザーが前記第１の表示装置を装着した装着状態では、映像情報を前記第１の表示装置に出力し、ユーザーが前記第１の表示装置を装着していない無装着状態では、映像情報を前記第２の表示装置に出力するように構成されている。
【００１５】
本願の請求項４に記載の技術によれば、請求項１に記載の表示システムの出力切換装置は、ユーザーが前記第１の表示装置を装着した装着状態では、前記第１の表示装置の取扱説明に関する映像情報を前記第１の表示装置に出力し、ユーザーが前記第１の表示装置を装着していない無装着状態では、前記第１の表示装置の取扱説明に関する映像情報を前記第２の表示装置に出力するように構成されている。
【００１６】
本願の請求項５に記載の技術によれば、請求項１に記載の表示システムは、映像情報を供給する映像情報供給装置をさらに備えている。そして、前記出力切換装置は、ユーザーが前記第１の表示装置を装着した装着状態では、前記映像情報供給装置から供給される映像情報を前記第１の表示装置に出力し、ユーザーが前記第１の表示装置を装着していない無装着状態では、前記映像情報供給装置から供給される映像情報を前記第２の表示装置に出力するように構成されている。
【００１７】
また、本願の請求項６に記載の技術は、
第１の表示装置を接続する第１のインターフェースと、
第２の表示装置を接続する第２のインターフェースと、
ユーザーによる前記第１の表示装置の装着の有無に応じて、映像情報の出力先を前記第１の表示装置又は前記第２の表示装置のいずれかに切り替える出力切換部と、
を具備する中継装置である。
【００１８】
本願の請求項７に記載の技術によれば、前記第１の表示装置は、ユーザーによる前記第１の表示装置の装着の有無を検出する装着センサーを備えている。そして、本願の請求項６に記載の中継装置は、前記装着センサーの検出結果に基づいて、ユーザーによる前記第１の表示装置の装着の有無を判別するように構成されている。
【００１９】
本願の請求項８に記載の技術によれば、請求項６に記載の中継装置の出力切換部は、ユーザーが前記第１の表示装置を装着した装着状態では、映像情報を前記第１の表示装置に出力し、ユーザーが前記第１の表示装置を装着していない無装着状態では、映像情報を前記第２の表示装置に出力するように構成されている。
【００２０】
本願の請求項９に記載の技術によれば、請求項６に記載の中継装置の出力切換部は、ユーザーが前記第１の表示装置を装着した装着状態では、前記第１の表示装置の取扱説明に関する映像情報を前記第１の表示装置に出力し、ユーザーが前記第１の表示装置を装着していない無装着状態では、前記第１の表示装置の取扱説明に関する映像情報を前記第２の表示装置に出力するように構成されている。
【００２１】
本願の請求項１０に記載の技術によれば、請求項６に記載の中継装置は、映像情報を再生出力する再生装置を接続し、前記再生装置から再生信号を入力する入力部をさらに備えている。そして、前記出力切換部は、ユーザーが前記第１の表示装置を装着した装着状態では、前記再生装置から再生出力される映像情報を前記第１の表示装置に出力し、ユーザーが前記第１の表示装置を装着していない無装着状態では、前記再生装置から再生出力される映像情報を前記第２の表示装置に出力するように構成されている。
【発明の効果】
【００２２】
本明細書で開示する技術によれば、映像を２以上の表示装置に選択的に出力する優れた表示システム、並びに、２以上の表示装置と再生装置との間を中継する優れた中継装置を提供することができる。
【００２３】
本明細書で開示する技術によれば、中継装置は、２以上の表示装置のうち、ユーザーの頭部に装着して用いられる頭部装着型表示装置を優先して映像を出力するが、ユーザーが頭部装着型表示装置を外しているときには、出力先をＴＶ受像機など他の表示装置に自動的に切り替えるので、ユーザーは、再生映像を視聴し易くなる。
【００２４】
本明細書で開示する技術のさらに他の目的、特徴や利点は、後述する実施形態や添付する図面に基づくより詳細な説明によって明らかになるであろう。
【図面の簡単な説明】
【００２５】
【図１】図１は、ヘッド・マウント・ディスプレイを含む画像表示システムの構成を模式的に示した図である。
【図２】図２は、ヘッド・マウント・ディスプレイ１０の内部構成を模式的に示した図である。
【図３Ａ】図３Ａは、ヘッド・マウント・ディスプレイ１０を左斜め前方から俯瞰した斜視図である。
【図３Ｂ】図３Ｂは、ヘッド・マウント・ディスプレイ１０を分解した様子を示した図である。
【図４】図４は、装着センサー２２１の構成例を示した図である。
【図５】図５は、フロント・エンド・ボックス４０の内部構成例を模式的に示した図である。
【図６】図６は、フロント・エンド・ボックス４０において映像信号の出力先を切り替え制御するための処理手順を示したフローチャーである。
【発明を実施するための形態】
【００２６】
以下、図面を参照しながら本明細書で開示する技術の実施形態について詳細に説明する。
【００２７】
図１には、ヘッド・マウント・ディスプレイを含む画像表示システムの構成を模式的に示している。図示のシステムは、ヘッド・マウント・ディスプレイ１０本体と、視聴コンテンツのソースとなるブルーレイ・ディスク再生装置２０と、ブルーレイ・ディスク再生装置２０の再生コンテンツの他の出力先となるハイビジョン・ディスプレイ（例えば、ＨＤＭＩ対応テレビ）３０と、ブルーレイ・ディスク再生装置２０から出力されるＡＶ信号の処理を行なうフロント・エンド・ボックス４０で構成される。
【００２８】
フロント・エンド・ボックス４０は、ブルーレイ・ディスク再生装置２０から出力されるＡＶ信号をＨＤＭＩ入力すると、例えば信号処理して、ＨＤＭＩ出力するＨＤＭＩリピーターに相当する。また、フロント・エンド・ボックス４０は、ブルーレイ・ディスク再生装置２０の出力先をヘッド・マウント・ディスプレイ１０又はハイビジョン・ディスプレイ３０のいずれかに切り替える２出力スイッチャーでもある。図示の例では、フロント・エンド・ボックス４０は２出力であるが、３以上の出力を有していてもよい。但し、フロント・エンド・ボックス４０は、ＡＶ信号の出力先を排他的とし、且つ、ヘッド・マウント・ディスプレイ１０への出力を最優先とする。
【００２９】
なお、ＨＤＭＩ（Ｈｉｇｈ−Ｄｅｆｉｎｉｔｉｏｎ  Ｍｕｔｌｉｍｅｄｉａ  Ｉｎｔｅｒｆａｃｅ）は、ＤＶＩ（Ｄｉｇｉｔａｌ  Ｖｉｓｕａｌ  Ｉｎｔｅｒｆａｃｅ）を基にし、物理層にＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）を用いた、主に音声と映像の伝送を用途としたディジタル家電向けのインターフェース規格である。本システムは、例えばＨＤＭＩ１．４に準拠する。
【００３０】
ブルーレイ・ディスク再生装置２０とフロント・エンド・ボックス４０間、並びに、フロント・エンド・ボックス４０とハイビジョン・ディスプレイ３０間は、それぞれＨＤＭＩケーブルで接続されている。フロント・エンド・ボックス４０とヘッド・マウント・ディスプレイ１０間も、ＨＤＭＩケーブルで接続するように構成することも可能であるが、その他の仕様のケーブルを用いてＡＶ信号をシリアル転送するようにしてもよい。但し、フロント・エンド・ボックス４０とヘッド・マウント・ディスプレイ１０間を接続するケーブル１本で、ＡＶ信号と電力を供給し、且つ、双方向で通信可能であるものとし、ヘッド・マウント・ディスプレイ１０はこのケーブルを介して駆動電力も得ることができる。
【００３１】
ヘッド・マウント・ディスプレイ１０は、左眼用及び右眼用の独立した表示部を備えている。各表示部は、例えば有機ＥＬ素子を用いている。また、左右の各表示部は、低歪みで且つ高解像度の広視野角光学系を装備している。
【００３２】
図２には、ヘッド・マウント・ディスプレイ１０の内部構成を模式的に示している。
【００３３】
信号送受信部２０１は、フロント・エンド・ボックス４０と接続するケーブルを介して、ＡＶ信号を受信したり、ＣＰＵ２０１（後述）で処理された情報信号を送信したりする。本実施形態では、ＡＶ信号はケーブルを介してシリアル転送されるので、信号送受信部２０１では受信信号のシリアル・パラレル変換が行なわれる。
【００３４】
信号処理プロセッサー２０２は、信号送受信部２０１で受信したＡＶ信号を映像信号と音声信号に分離して、それぞれに対して映像信号処理並びに音声信号処理を行なう。
【００３５】
信号処理プロセッサー２０２では、映像信号処理として、輝度レベル調整やコントラスト調整、その他の画質改善が行なわれる。また、信号処理プロセッサー２０２は、ＣＰＵ２０６からの指示により、本来の映像信号に対して各種の処理を適用する。例えば、文字や図形などからなるＯＳＤ（ＯｎＳＣｒｅｅｎ Ｄｉｓｐｌａｙ）情報を生成して、本来の映像信号に重畳する。ＲＯＭ２０５には、ＯＳＤ情報の生成に必要な信号パターンが格納されており、信号処理プロセッサー２０２はＲＯＭ１５に格納されている情報を読み出す。本来の映像情報に重畳されるＯＳＤ情報の一例は、画面や音声の出力調整などのためのＧＵＩ（Ｇｒａｐｈｉｃａｌ  Ｕｅｒ  Ｉｎｔｅｒｆａｃｅ）である。そして、映像信号処理を経て生成された画面情報は、ＶＲＡＭ（フレーム・メモリー）２０３に一時的に格納される。フロント・エンド・ボックス４０から供給された映像信号が立体視映像信号等左右で映像信号が異なるときには、信号処理プロセッサー２０２は左右の映像信号に分離して、画面情報を生成する。
【００３６】
左右の表示部２０８Ｌ及び２０８Ｒはそれぞれ、有機ＥＬ素子からなる表示パネルと、表示パネルを駆動するゲート・ドライバー及びデータ・ドライバーからなる。また、左右の表示部２０８Ｌ及び２０８Ｒにはそれぞれ広視野角を持つ光学系が装備される。但し、図２では光学系を省略している。
【００３７】
パネル・コントローラー２０４は、所定の表示周期毎にＶＲＡＭ２０３から画面情報を読み出して、各表示部２０８Ｌ及び２０８Ｒへ入力するための信号に変換するとともに、ゲート・ドライバー及びデータ・ドライバーの動作に用いられる、水平同期信号、垂直同期信号などのパルス信号を生成する。
【００３８】
ＣＰＵ（Ｃｅｎｔｒａｌ  Ｐｒｏｃｅｓｓｉｎｇ  Ｕｎｉｔ）２０６は、ＲＯＭ（Ｒｅａｄ  Ｏｎｌｙ  Ｍｅｍｏｒｙ）２０９からＲＡＭ（Ｒａｎｄｏｍ  Ａｃｃｅｓｓ  Ｍｅｍｏｒｙ）２１０にロードされたプログラムを実行して、ヘッド・マウント・ディスプレイ１０全体の動作を統括的に制御する。また、ＣＰＵ２０６は、信号送受信部２０１を介して、フロント・エンド・ボックス４０との情報信号の送受信を制御する。
【００３９】
ヘッド・マウント・ディスプレイ１０本体には、ユーザーが指などで操作可能な１以上の操作子を備えたユーザー操作部２２０が装備されている。操作子は、図示しないが、例えば上下左右のカーソルキーと、中央の決定キーの組み合わせからなる。また、本実施形態では、ヘッドフォン２１２Ｌ、２１２Ｒの音量を増大する「＋」ボタンと、音量を低下させる「−」ボタンもユーザー操作部２２０に含まれるものとする。ＣＰＵ２０６は、ユーザー操作部２２０から入力されたユーザーの指示に従って、表示部２０８Ｒ、２０８Ｌからの映像出力やヘッドフォン２１２Ｌ、２１２Ｒからの音声出力などに関する処理を信号処理プロセッサー２０２に対して指示する。また、ユーザー操作部２２０から映像の再生、停止、早送り、早戻しなどのコンテンツ再生に関する操作が指示されると、ＣＰＵ２０６は、信号送受信部２０１からフロント・エンド・ボックス４０へ、指示内容を通知するための情報信号を送信する。
【００４０】
また、本実施形態では、ヘッド・マウント・ディスプレイ２０は、装着センサー２２１、加速度センサー２２２、輝度センサー２２３などの複数のセンサーを装備している。これらのセンサー出力は、ＣＰＵ２０６に入力される。
【００４１】
装着センサー２２１は、例えば機械スイッチなどからなる（後述）。ＣＰＵ２０６は、このセンサー出力によってヘッド・マウント・ディスプレイ２０がユーザーに装着されているかどうか、すなわち、ヘッド・マウント・ディスプレイ２０が現在使用中であるかどうかを判定することができる。
【００４２】
加速度センサー２２２は、例えば３軸で構成され、ヘッド・マウント・ディスプレイ２０に加わる加速度の大きさ及び方向を検出する。ＣＰＵ２０６は、取得した加速度情報に基づいて、ヘッド・マウント・ディスプレイ１０を装着したユーザーの頭部の移動をトラッキングすることができる。
【００４３】
輝度センサー２２３は、ヘッド・マウント・ディスプレイ２０が現在置かれている環境における輝度を検出する。ＣＰＵ２０６は、輝度センサー２２３は、取得した輝度情報に基づいて、映像信号に対して適用する輝度レベル調整を制御するようにしてもよい。
【００４４】
また、ＣＰＵ２０６は、必要に応じて、各センサー２２１〜２２３から取得したセンサー情報を、信号送受信部２１１からフロント・エンド・ボックス４０に送信することもできる。
【００４５】
電源部２３０は、フロント・エンド・ボックス４０から供給される駆動電力を、図２中の破線で囲まれた各回路部品へ供給する。また、ヘッド・マウント・ディスプレイ１０本体には、ユーザーが指などで操作可能な電源スイッチ２３１が装備されている。電源部２３０は、電源スイッチ２３１が操作されたことに応じて、回路部品への給電のオン／オフを切り替えるようになっている。
【００４６】
なお、電源スイッチ２３１で電源オフにした状態は、電源部２３０は給電状態で待機している、ヘッド・マウント・ディスプレイ１０の「スタンバイ」状態とする。また、フロント・エンド・ボックス４０側では、電源部２３０と接続される信号線の電圧レベルの変化に基づいて、各回路部品が給電され動作している状態すなわち使用状態か、非使用状態かを判別することができる。
【００４７】
図３には、ヘッド・マウント・ディスプレイ１０の外観の構成例を示している。但し、図３Ａは左斜め前方から俯瞰した斜視図であり、図３Ｂは、大まかに分解した様子を示した図である。図３Ｂに示すように、ヘッド・マウント・ディスプレイ１０は、図２に示した主要部品のうち、表示系統を含む大部分の部品を含んだディスプレイ・ユニット部３０１と、ディスプレイ・ユニット部を覆う外筐３０２と、外筐３０２の上面から突設した額当て部３０４と、上バンド３０５Ａ及び３０５Ｂからなるヘッド・バンド３０５と、左右のヘッドフォン２１２Ｌ、２１２Ｒを収容するヘッドフォン部３０３Ｌ、３０３Ｒからなる。ディスプレイ・ユニット部３０１内には、表示部２０８Ｌ、２０８Ｒや、回路基板が収容される。
【００４８】
ユーザーがヘッド・マウント・ディスプレイ１０を頭部に装着したとき、額当て部３０４がユーザーの額に当接するとともに、ヘッド・バンド３０５が頭部の後方に当接する。図３Ａ、図３Ｂでは詳細な図解は省略するが、ヘッド・バンド３０５は、長さの調整が可能であるとともに、伸縮可能な素材からなり、ヘッド・バンド３０５が頭部に巻き付く格好となって、ヘッド・マウント・ディスプレイ１０を頭部に固定する。
【００４９】
図４には、装着センサー２２１の構成例を図解している。図示の例では、額当て部１０２は、回転軸１４２によって、ヘッド・マウント・ディスプレイ１０の外筐に回動可能に支持されている。額当て部１０２は、非装着時には、スプリング１４４の復元力によって、ヘッド・マウント・ディスプレイ１０の後方、すなわち装着するユーザーの額側へ向かった非装着位置へ押し出されている。そして、装着時には、ユーザーの額が当接することによって、前方の装着位置へ押し戻される。また、回転軸１４２には、前方に突設したアーム１４３が取り付けられている。そして、ユーザーが装着して額当て部１０２が前方へ押し戻されると、アーム１４３が連動して、その先端部で（装着センサーに相当する）タクト・スイッチ１４１を操作する。ＣＰＵ２０６は、タクト・スイッチ１４１の操作から、ヘッド・マウント・ディスプレイ１０がユーザーに装着されたことを検出することができる。
【００５０】
図５には、フロント・エンド・ボックス４０の内部構成例を模式的に示している。
【００５１】
ＨＤＭＩ入力部５０１は、ＨＤＭＩインターフェースに準拠し、ＨＤＭＩケーブルで接続されるブルーレイ・ディスク再生装置２０から再生出力されるＡＶ信号を、ＨＤＭＩケーブル経由で入力して等化処理などの信号処理を行なう。
【００５２】
また、第１のインターフェース５０２にはヘッド・マウント・ディスプレイ１０が接続され、第２のインターフェース５０３にはハイビジョン・ディスプレイ３０が接続される。
【００５３】
第２のインターフェース５０３は、ＨＤＭＩインターフェースに準拠し、ＨＤＭＩケーブルで接続されるハイビジョン・ディスプレイ３０へ、ＡＶ信号を出力する。なお、フロント・エンド・ボックス４０が複数の第２のインターフェース５０３を装備し、２以上のＨＤＭＩ対応テレビへＡＶ信号を出力するように構成することもできる。
【００５４】
一方、第１のインターフェース５０２は、独自のインターフェース仕様に準拠するものとする。勿論、ＨＤＭＩインターフェースに準拠するよう、第１のインターフェース５０２を構成することもできる。第１のインターフェース５０２は、この独自のインターフェース仕様に準拠したケーブル１本で、ヘッド・マウント・ディスプレイ１０と接続され、このケーブル越しにヘッド・マウント・ディスプレイ１０との間で、ＡＶ信号の送信や、各種情報信号の送受信、駆動電力の供給を行なうようになっている。
【００５５】
制御部５０６は、フロント・エンド・ボックス４０内の各部の動作を統括的にコントロールする。
【００５６】
出力切換部５０４は、ＨＤＭＩ入力部５０１に入力されるＡＶ信号の出力先を、第１のインターフェース５０２又は第２のインターフェース５０３のいずれか、すなわち、ヘッド・マウント・ディスプレイ１０又はハイビジョン・ディスプレイ３０のいずれかに択一的に切り換える。本実施形態では、出力切換部５０４は、ＡＶ信号の出力先を排他的とし、且つ、ヘッド・マウント・ディスプレイ１０への出力を最優先する。
【００５７】
本実施形態では、出力切換部５０４は、ヘッド・マウント・ディスプレイ１０の電源がオンのとき、又は、ユーザーがヘッド・マウント・ディスプレイ１０を使用中のときには、ヘッド・マウント・ディスプレイ１０にのみＡＶ信号を出力する。逆に言えば、優先順位の低いハイビジョン・テレビ３０へＡＶ信号を出力するのは、ヘッド・マウント・ディスプレイ１０の電源がオフのときや、ヘッド・マウント・ディスプレイ１０が接続されていないときなど、ユーザーがヘッド・マウント・ディスプレイ１０を使用していないときだけである。
【００５８】
制御部５０６は、第１のインターフェース５０２でヘッド・マウント・ディスプレイ１０から受け取った情報信号や、ヘッド・マウント・ディスプレイ１０へ駆動電力を供給する信号線の電圧レベルなどに応じて、ヘッド・マウント・ディスプレイ１０の使用状態を判別して、出力切換部５０４に対してＡＶ信号の出力先を指示する。
【００５９】
また、フロント・エンド・ボックス４０本体には、ユーザーが指などで操作可能な１以上の操作子を備えたユーザー操作部５０９が装備されている。ユーザーは、ユーザー操作部５０９からＡＶ信号の出力先の切り換えを指示することもできる。
【００６０】
音声ＤＡＣ５０５は、ＨＤＭＩ入力部５０１で分離された音声信号をアナログ変換し、ヘッドフォン（ＨＰ）・コネクター５０７から出力する。
【００６１】
取扱説明情報再生部５１０は、旧来は紙媒体で提供されてきた当該製品の「取扱説明書」に相当する映像コンテンツを再生する。例えば、当該製品を購入した後、使用を開始する際（機器のセットアップ時）に、取扱説明情報再生部５１０は取扱説明に関する映像コンテンツを再生開始し、出力切換部５０４を介してヘッド・マウント・ディスプレイ１０又はハイビジョン・ディスプレイ３０のうちいずれか一方で表示出力する。但し、ユーザー操作部５０９を介した設定により、使用開始時（機器のセットアップ時）であっても取扱説明情報再生部５１０の再生処理すなわち取扱説明の映像表示をスキップすることができる。あるいは、ユーザー操作部５０９を介したユーザーの指示に従って、使用開始時（機器のセットアップ時）だけでなく任意のタイミングでも、取扱説明情報再生部５１０の再生処理すなわち取扱説明の映像表示を開始することもできる。
【００６２】
取扱説明情報再生部５１０が再生する映像コンテンツは、フロント・エンド・ボックス４０の記憶装置（図示しない）にあらかじめ（出荷前に）格納しておいてもよい。あるいは、当該映像コンテンツを、ネットワークなどの外部ソースからダウンロードしてもよいし、ブルーレイ・ディスク再生装置２０に装填した記録媒体から読み出すようにしてもよい。
【００６３】
図３Ａからも分かるように、ヘッド・マウント・ディスプレイ１０は、遮光性を伴うとともに、ユーザーの眼を直接覆う、没入型のヘッド・マウント・ディスプレイである。このため、ユーザーが一旦ヘッド・マウント・ディスプレイ１０を装着した後に、出力先がハイビジョン・ディスプレイ３０に切り替えられてしまうと、ユーザーはハイビジョン・ディスプレイ３０の表示映像を全く確認することができない。逆に、ハイビジョン・ディスプレイ３０で再生映像を視聴しているときに、出力先がヘッド・マウント・ディスプレイ１０に切り替えられてしまうと、ユーザーはヘッド・マウント・ディスプレイ１０を装着するまでは映像がそこに表示されているとは気付かない。
【００６４】
また、ハイビジョン・ディスプレイ３０で映像を再生しているときに、ユーザーは、ヘッド・マウント・ディスプレイ１０を頭部に装着すると、ハイビジョン・ディスプレイ３０の映像を見ることができなくなってしまう。例えば、ヘッド・マウント・ディスプレイ１０を購入して使用を開始するとき（機器のセットアップ時）などにおいて、その取扱説明の映像（前述）をハイビジョン・ディスプレイ３０に画面表示しているときに、ユーザーは、ヘッド・マウント・ディスプレイ１０の画面を見ながら操作方法を確認するためにヘッド・マウント・ディスプレイ１０を頭部に装着すると、取扱説明の映像を見ることができなくなってしまう。このため、ユーザーは、ヘッド・マウント・ディスプレイ１０を頭部から外すと、ハイビジョン・ディスプレイ３０の映像を見ることはできるが、ヘッド・マウント・ディスプレイ１０の操作を確認できなくなる。
【００６５】
そこで、本実施形態では、フロント・エンド・ボックス４０は、ヘッド・マウント・ディスプレイ１０の装着センサー２２１のセンサー情報を用いて、ブルーレイ・ディスク再生装置２０からの再生信号の出力先を、ヘッド・マウント・ディスプレイ１０又はハイビジョン・ディスプレイ３０のいずれかに切り替えるようにしている。
【００６６】
フロント・エンド・ボックス４０側では、制御部５０６は、第１のインターフェース５０２を通じて、ヘッド・マウント・ディスプレイ１０の装着センサー２２１のセンサー情報を受け取り、ユーザーがヘッド・マウント・ディスプレイ１０を装着していない「無装着」状態、又は、ユーザーがヘッド・マウント・ディスプレイ１０を装着した「装着」状態のいずれであるかを判別することができる。そして、制御部５０６は、無装着状態では、ブルーレイ・ディスク再生装置２０からの再生信号の出力先をハイビジョン・ディスプレイ３０とするよう、出力切換部５０４に指示し、装着状態に変化したときには、ブルーレイ・ディスク再生装置２０からの再生信号の出力先をヘッド・マウント・ディスプレイ１０に切り替えるよう、出力切換部５０４に指示する。
【００６７】
例えば、ヘッド・マウント・ディスプレイ１０を購入した後、使用を開始するとき（機器のセットアップ時）に、ユーザーは、ハイビジョン・ディスプレイ３０に表示した取扱説明の映像を見ながら、ヘッド・マウント・ディスプレイ１０のフロント・エンド・ボックス４０へのケーブル接続まで完了すると、無装着状態のままヘッド・マウント・ディスプレイ１０の電源を投入する。この時点では、取扱説明の映像の出力先はまだハイビジョン・ディスプレイ３０のままであり、ユーザーは、ハイビジョン・ディスプレイ３０の表示映像を見ながら、ヘッド・マウント・ディスプレイ１０の装着方法の説明を受ける。そして、ユーザーがこの説明映像の通りにヘッド・マウント・ディスプレイ１０を装着すると、装着センサー２２１がこれを検知し、フロント・エンド・ボックス４０に通知する。フロント・エンド・ボックス４０側では、制御部５０６は、ヘッド・マウント・ディスプレイ１０が装着状態であることを判別すると、取扱説明の映像の出力先をヘッド・マウント・ディスプレイ１０に切り替え、ハイビジョン・ディスプレイ３０の表示を停止する。したがって、ユーザーは、ヘッド・マウント・ディスプレイ１０で表示される取扱説明の映像を見て、引き続き取り扱いの説明を確認しながら、セットアップ作業を継続することができる。
【００６８】
また、ユーザーは、ブルーレイ・ディスク再生装置２０で再生している映画などコンテンツをヘッド・マウント・ディスプレイ１０で視聴している最中に、眼が疲れた、あるいは何らかの用事ができたなどの理由により、ヘッド・マウント・ディスプレイ１０を頭部から取り外す。すると、装着センサー２２１がこれを検知し、フロント・エンド・ボックス４０に通知する。フロント・エンド・ボックス４０側では、制御部５０６は、ヘッド・マウント・ディスプレイ１０が無装着状態に移行したことを判別すると、ブルーレイ・ディスク再生装置２０の再生映像の出力先をフロント・エンド・ボックス４０に切り替え、ヘッド・マウント・ディスプレイ１０の表示を停止する。したがって、ユーザーは、ヘッド・マウント・ディスプレイ１０を頭から外す以外に機器操作を一切行なうことなく、ブルーレイ・ディスク再生装置２０の再生映像を引き続きハイビジョン・ディスプレイ３０で視聴することができる。
【００６９】
フロント・エンド・ボックス４０側での、ヘッド・マウント・ディスプレイ１０の無装着状態、装着状態に応じた出力先の切り替え制御は、常時行なうようにしてもよい。変形例として、ユーザー操作部５０９などを介してユーザーが指示したときだけ、あるいは、ヘッド・マウント・ディスプレイ１０の取扱説明の映像を表示しているときだけなどに限定して、出力先の切り替え制御を行なうようにしてもよい。
【００７０】
図６には、フロント・エンド・ボックス４０において映像信号の出力先を切り替え制御するための処理手順をフローチャートの形式で示している。
【００７１】
制御部５０６は、ヘッド・マウント・ディスプレイ１０の装着状態をチェックする（ステップＳ６０１）。
【００７２】
ここで、ヘッド・マウント・ディスプレイ１０が、ユーザーの頭部に装着された装着状態であるときには、ヘッド・マウント・ディスプレイ１０の表示に切り替え、ハイビジョン・ディスプレイ３０での表示を停止する（ステップＳ６０２）。
【００７３】
一方、ヘッド・マウント・ディスプレイ１０が、ユーザーの頭部から外された無装着状態であるときには、ハイビジョン・ディスプレイ３０の表示に切り替え、ヘッド・マウント・ディスプレイ１０での表示を停止する（ステップＳ６０３）。
【００７４】
このように、本明細書で開示する技術によれば、フロント・エンド・ボックス４０は、ユーザーの頭部に装着して用いられるヘッド・マウント・ディスプレイ１０を優先して映像を出力するが、ユーザーがヘッド・マウント・ディスプレイ１０を外すと、出力先をフロント・エンド・ボックス４０に自動的に切り替えるので、ユーザーは、再生映像を視聴し易くなる。
【００７５】
なお、本明細書の開示の技術は、以下のような構成をとることも可能である。
（１）ユーザーが装着して用いられる第１の表示装置と、１以上の第２の表示装置と、前記第１の表示装置及び前記第２の表示装置を接続し、ユーザーによる前記第１の表示装置の装着の有無に応じて、映像情報の出力先を前記第１の表示装置又は前記第２の表示装置のいずれかに切り替える出力切換装置と、を具備する表示システム。
（２）前記第１の表示装置は、ユーザーによる前記第１の表示装置の装着の有無を検出する装着センサーを備え、前記出力切換装置は、前記装着センサーの検出結果に基づいて、ユーザーによる前記第１の表示装置の装着の有無を判別する、上記（１）に記載の表示システム。
（３）前記出力切換装置は、ユーザーが前記第１の表示装置を装着した装着状態では、映像情報を前記第１の表示装置に出力し、ユーザーが前記第１の表示装置を装着していない無装着状態では、映像情報を前記第２の表示装置に出力する、上記（１）に記載の表示システム。
（４）前記出力切換装置は、ユーザーが前記第１の表示装置を装着した装着状態では、前記第１の表示装置の取扱説明に関する映像情報を前記第１の表示装置に出力し、ユーザーが前記第１の表示装置を装着していない無装着状態では、前記第１の表示装置の取扱説明に関する映像情報を前記第２の表示装置に出力する、上記（１）に記載の表示システム。
（５）映像情報を供給する映像情報供給装置をさらに備え、前記出力切換装置は、ユーザーが前記第１の表示装置を装着した装着状態では、前記映像情報供給装置から供給される映像情報を前記第１の表示装置に出力し、ユーザーが前記第１の表示装置を装着していない無装着状態では、前記映像情報供給装置から供給される映像情報を前記第２の表示装置に出力する、上記（１）に記載の表示システム。
（６）第１の表示装置を接続する第１のインターフェースと、第２の表示装置を接続する第２のインターフェースと、ユーザーによる前記第１の表示装置の装着の有無に応じて、映像情報の出力先を前記第１の表示装置又は前記第２の表示装置のいずれかに切り替える出力切換部と、を具備する中継装置。
（７）前記第１の表示装置は、ユーザーによる前記第１の表示装置の装着の有無を検出する装着センサーを備え、前記装着センサーの検出結果に基づいて、ユーザーによる前記第１の表示装置の装着の有無を判別する、上記（６）に記載の中継装置。
（８）前記出力切換部は、ユーザーが前記第１の表示装置を装着した装着状態では、映像情報を前記第１の表示装置に出力し、ユーザーが前記第１の表示装置を装着していない無装着状態では、映像情報を前記第２の表示装置に出力する、上記（６）に記載の中継装置。
（９）前記出力切換部は、ユーザーが前記第１の表示装置を装着した装着状態では、前記第１の表示装置の取扱説明に関する映像情報を前記第１の表示装置に出力し、ユーザーが前記第１の表示装置を装着していない無装着状態では、前記第１の表示装置の取扱説明に関する映像情報を前記第２の表示装置に出力する、上記（６）に記載の中継装置。
（１０）映像情報を再生出力する再生装置を接続し、前記再生装置から再生信号を入力する入力部をさらに備え、前記出力切換部は、ユーザーが前記第１の表示装置を装着した装着状態では、前記再生装置から再生出力される映像情報を前記第１の表示装置に出力し、ユーザーが前記第１の表示装置を装着していない無装着状態では、前記再生装置から再生出力される映像情報を前記第２の表示装置に出力する、上記（６）に記載の中継装置。
【産業上の利用可能性】
【００７６】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【００７７】
本明細書では、本明細書で開示する技術を、ユーザーの頭部に装着して用いられる頭部装着型表示装置を含む２以上の表示装置を表示先に持つ表示システムに適用した実施形態について説明してきたが、頭部装着型表示装置を含まない２以上の表示装置を表示先に持つ表示システムに対しても同様に適用することができる。
【００７８】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【００７９】
１０…ヘッド・マウント・ディスプレイ
２０…ブルーレイ・ディスク再生装置
３０…ハイビジョン・ディスプレイ
４０…フロント・エンド・ボックス
１０２…額当て部
１４１…タクト・スイッチ
１４２…回転軸
１４３…アーム
１４４…スプリング
２０１…信号送受信部
２０２…信号処理プロセッサー
２０３…ＶＲＡＭ
２０４…パネル・コントローラー
２０５…ＲＯＭ
２０６…ＣＰＵ
２０８Ｌ、２０８Ｒ…表示部
２０９…ＲＯＭ
２１０…ＲＡＭ
２１１…音声ＤＡＣ
２１２Ｌ、２１２Ｒ…ヘッドフォン
２２０…ユーザー操作部
２２１…装着センサー
２２２…加速度センサー
２２３…輝度センサー
２３０…電源部
２３１…電源スイッチ
３０１…ディスプレイ・ユニット部
３０２…外筐
３０３Ｌ、３０３Ｒ…ヘッドフォン部
３０４…額当て部
３０５…ヘッド・バンド、３０５Ａ…上バンド、３０５Ｂ…下バンド
５０１…ＨＤＭＩ入力部
５０２…第１のインターフェース
５０３…第２のインターフェース
５０４…出力切換部
５０５…音声ＤＡＣ
５０６…制御部
５０７…ＨＰコネクター
５０９…ユーザー操作部
５１０…取扱説明情報再生部
【図２】
2013093664.tif 000003
【図５】
2013093664.tif 000004
【図６】
2013093664.tif 000005
【図１】
2013093664.tif 000006
【図３Ａ】
2013093664.tif 000007
【図３Ｂ】
2013093664.tif 000008
【図４】
2013093664.tif 000009